(57)【特許請求の範囲】
【請求項１】
矩形状を成すガラスパネルを備えた面材の四周縁部に、それぞれ面材の表面から面材の端面に渡る部分を覆うように框部材を設けた建具であって、
前記框部材には、その長手方向に沿って中空部が設けてあるとともに、前記中空部には、前記框部材の長手方向に沿って金属製の防火部材及び金属製の補強部材が配設してあり、
前記防火部材は前記中空部において前記面材の表面に並設される部分を有し、かつ前記補強部材は前記中空部において前記面材の端面に並設される部分を有し、
前記防火部材及び前記補強部材は、見込み方向に沿って互いに並設される部分を有していることを特徴とする建具。
【請求項２】
前記防火部材には、加熱膨張材が配設されていることを特徴とする請求項１に記載の建具。
【請求項３】
前記防火部材及び前記補強部材は、隔壁部によって離隔した個別の中空部に配設されていることを特徴とする請求項１に記載の建具。
【発明の詳細な説明】
【技術分野】
【０００１】
本発明は、建具に関するものである。
【背景技術】
【０００２】
昨今の建具には、面材を保持する框部材や枠部材等の枠構成部材が樹脂によって成形されたものがある。枠構成部材は、個々の内部に長手方向に沿った中空部を有したもので、互いに端部を留め継ぎすることによって矩形の枠状に構成される。具体的には、枠構成部材の端面が傾斜面、例えば４５°の傾斜面を有するように構成されており、互いに熱溶着等の接合手段を用いて接合されている。この種の建具では、枠構成部材がアルミニウムやアルミニウム合金等の金属によって成形されたものに比べて断熱性に優れるため、例えば、室内外に気温差がある場合にも結露が防止される等の利点がある（例えば、特許文献１及び特許文献２参照）。
【０００３】
反面、樹脂によって成形した枠構成部材は、金属製のものに比べて融点が低い。従って、火災発生時等のように高温状態となった場合には、比較的容易に面材が脱落する等の問題を招来する恐れがある。このため従来では、枠構成部材の中空部に鉄やステンレス等の金属から成る補強部材を配設するようにしている。補強部材の端部は、Ｌ字型に成形された連結部材によって互いに連結してある。こうした建具によれば、高温状態となった場合にも補強部材が残るため、面材が脱落する事態を防止することが可能となる。
【０００４】
さらに従来の建具には、補強部材の表面に加熱膨張材を貼り付けることによって防火性を向上させるようにしたものも提供されている。この建具では、高温状態となった場合に膨張する加熱膨張材によって枠構成部材の中空部が塞がれることになり、室内外が貫通される事態を防止することができるようになる（例えば、特許文献３参照）。
【先行技術文献】
【特許文献】
【０００５】
【特許文献１】特開２０００−１９２７３２号公報
【特許文献２】特開２００６−３０７５７２号公報
【特許文献３】特開２０１０−２４８８０４号公報
【発明の概要】
【発明が解決しようとする課題】
【０００６】
ところで、建具としての防火性能を考慮すれば、補強部材の端面を枠構成部材の端面と同様の傾斜面を有するように構成し、互いの間にできるだけ隙間が無いように接合させることが好ましい。しかしながら、補強部材の端面を傾斜させた場合には、加熱膨張材についても端面の傾斜角度を一致させて補強部材に貼り付けることが好ましい。加熱膨張材は、通常、長尺状のものが用意されており、これを適宜切断して補強部材に貼り付けることになる。このため、加熱膨張材の端面を傾斜させた場合には、加熱膨張材を貼り付ける際に補強部材の傾斜角度と一致させることが好ましい。しかも、補強部材に対して加熱膨張材を貼り付ける位置が明確ではないため、都度貼り付け位置を確認する必要があり、建具の組立作業が煩雑化する。さらに、補強部材に対して加熱膨張材の傾斜面が一致しない場合には、傾斜方向を調整するために加熱膨張材を傾斜角度に沿って斜めに切断する必要があり、歩留まりの点でも不利となる。
【０００７】
本発明は、上記実情に鑑みて、補強部材に対して加熱膨張材を貼り付ける作業を容易化し、かつ加熱膨張材の歩留まりを向上させることのできる建具を提供することを目的とする。
【課題を解決するための手段】
【０００８】
上記目的を達成するため、本発明に係る建具は、個々の内部に長手方向に沿った中空部を有し、互いに端部を留め継ぎすることによって矩形の枠状に構成した枠構成部材と、平板状を成す補強基部を有し、個々の枠構成部材の中空部に配設した金属製の補強部材と、前記枠構成部材の長手方向に沿って前記補強部材の見付け面に貼り付けた加熱膨張材とを備えた建具であって、前記補強部材における補強基部の端面には、留め継ぎする枠構成部材の端面に沿って延在する傾斜延在部と、前記補強部材の長手に直交する方向に沿って延在する直交延在部とを設け、前記直交延在部は、前記補強基部において加熱膨張材を貼り付ける位置の端部に形成したことを特徴とする。
【０００９】
この発明によれば、補強部材の端面に傾斜延在部を設けているため、互いの間にできるだけ隙間が無いように接合させることができる。しかも、補強部材において加熱膨張材を貼り付ける位置には、長手に直交する方向に沿う直交延在部を設けているため、加熱膨張材の貼り付け作業を容易化し、かつ歩留まりを向上させることができる。
【００１０】
また、本発明は、上述した建具において、前記直交延在部は、加熱膨張材の短手方向の幅以上の寸法を有するように形成したことを特徴とする。
【００１１】
この発明によれば、直交延在部が加熱膨張材以上の幅を有したものであるため、補強部材に貼り付ける作業を容易に行うことができる。
【００１２】
また、本発明は、上述した建具において、前記補強部材は、加熱膨張材を貼り付けた見付け面よりも外周側となる部位に、前記補強基部から直交する方向に延在する外周壁部を有したことを特徴とする。
【００１３】
この発明によれば、外周壁部によって加熱膨張材が外周方向に膨張するのを抑制することができる。
【００１４】
また、本発明は、上述した建具において、前記補強部材は、加熱膨張材を貼り付けた見付け面よりも内周側となる部位に、前記補強基部から直交する方向に延在する内周壁部を有したものであり、隣接する補強部材の内周壁部を金属製の連結部材によって互いに連結したことを特徴とする。
【００１５】
この発明によれば、加熱膨張材の貼り付け位置に制限を加えることなく補強部材の端部間を連結することができる。
【００１６】
また、本発明は、上述した建具において、前記連結部材は、Ｌ字状を成す連結基部と、連結基部から突出する係合片とを有し、前記補強部材の内周壁部に設けた溝孔に係合片を挿通させた状態でネジ止めすることにより、隣接する補強部材の間を連結することを特徴とする。
【００１７】
この発明によれば、内周壁部の溝孔に係合片を挿通させることで連結部材の位置決めを行うことができる。
【発明の効果】
【００１８】
本発明によれば、補強部材の端面に傾斜延在部を設けているため、互いの間にできるだけ隙間が無いように接合させることができる。しかも、補強部材において加熱膨張材を貼り付ける位置には、長手に直交する方向に沿う直交延在部を設けているため、加熱膨張材の貼り付け作業を容易化し、かつ歩留まりを向上させることができる。
【図面の簡単な説明】
【００１９】
【図１】図１は、本発明の実施の形態である建具の縦断面図である。
【図２】図２は、図１に示した建具の横断面図である。
【図３】図３は、図１に示した建具を室外側から見た図である。
【図４】図４は、図１に示した建具の要部を一部破断して示す拡大図である。
【図５】図５は、図１に示した建具の枠構成部材に設ける補強部材の要部斜視図である。
【図６】図６は、図５に示した補強部材を別の角度から見た要部斜視図である。
【発明を実施するための形態】
【００２０】
以下、添付図面を参照しながら本発明に係る建具の好適な実施の形態について詳細に説明する。
【００２１】
図１〜図３は、本発明の実施の形態である建具を示したものである。ここで例示する建具は、開口枠１０及び障子２０を備え、開口枠１０に対して障子２０を室外側に向けて面外方向に押し開くように構成したたてすべり出し窓と称されるものである。
【００２２】
開口枠１０は、上枠部材（枠構成部材）１１、下枠部材（枠構成部材）１２及び左右の縦枠部材（枠構成部材）１３を四周枠組みすることによって構成したものである。これらの枠部材１１，１２，１３は、樹脂によって成形した押し出し形材であり、互いに端部を溶着接合して留め継ぎすることによって開口枠１０を構成している。それぞれの枠部材１１，１２，１３には、長手方向に沿って枠中空部１１ａ，１２ａ，１３ａが設けてあるとともに、枠中空部１１ａ，１２ａ，１３ａに枠補強部材１４が配設してある。枠補強部材１４は、枠部材１１，１２，１３を形成する樹脂よりも融点の高い金属、例えばステンレスや鋼材によって成形したものである。
【００２３】
障子２０は、上框部材（枠構成部材）２１、下框部材（枠構成部材）２２及び左右の縦框部材（枠構成部材）２３を四周框組みすることによって構成し、その内部に面材２４を保持したものである。本実施の形態では、矩形状を成すフロートガラスパネル２４ａと、内部に金網を封入した矩形状を成す網入りガラスパネル２４ｂとを備え、これら２枚のガラスパネル２４ａ，２４ｂがスペーサ２４ｃを介して内外に配置された複層ガラスと称される面材２４を適用している。２枚のガラスパネルは、フロートガラスパネル２４ａが室外側に配置され、網入りガラスパネル２４ｂが室内側に配置される。図には明示していないが、面材２４の周縁部には、金属製のガラス外れ止め２４ｄが設けてある。
【００２４】
面材２４を保持する框部材２１，２２，２３は、枠部材１１，１２，１３と同様、樹脂によって成形した押し出し形材であり、互いの端部が４５°の傾斜面２１ａ，２２ａ，２３ａを介して留め継ぎにより溶着接合してある。それぞれの框部材２１，２２，２３は、長手方向に沿った框基部２１Ａ，２２Ａ，２３Ａ、外方カバー部２１Ｂ，２２Ｂ，２３Ｂ及び内方カバー部２１Ｃ，２２Ｃ，２３Ｃを有するように構成してある。
【００２５】
框基部２１Ａ，２２Ａ，２３Ａは、面材２４の端面を覆う中空部分であり、面材２４の見込み寸法に対してわずかに大きな幅を有するように構成してある。框基部２１Ａ，２２Ａ，２３Ａの面材２４に対向する内周見込み壁部２１Ａａ，２２Ａａ，２３Ａａにおいて室外側に位置する部分には、押縁２５を装着するための装着溝２１Ａｂ，２２Ａｂ，２３Ａｂが形成してある。
【００２６】
外方カバー部２１Ｂ，２２Ｂ，２３Ｂは、框基部２１Ａ，２２Ａ，２３Ａの開口枠１０に対向する外周見込み壁部２１Ａｃ，２２Ａｃ，２３Ａｃにおいて室外側に位置する部分から外方に突出した中空部分である。この外方カバー部２１Ｂ，２２Ｂ，２３Ｂは、開口枠１０に対して障子２０を閉めた場合に開口枠１０の室外側に向いた見付け面に対向するものである。外方カバー部２１Ｂ，２２Ｂ，２３Ｂの室外側に向いた見付け面は、框基部２１Ａ，２２Ａ，２３Ａの室外側に向いた見付け面と同一の平面上となるように設けてある。
【００２７】
内方カバー部２１Ｃ，２２Ｃ，２３Ｃは、框基部２１Ａ，２２Ａ，２３Ａよりも室内側に位置する部位に框基部２１Ａ，２２Ａ，２３Ａに隣接するように設けた中空部分であり、面材２４の周縁部において室内側に向いた内側表面を覆うように框基部２１Ａ，２２Ａ，２３Ａの内周見込み壁部２１Ａａ，２２Ａａ，２３Ａａよりも内周側に突出している。
【００２８】
これら框基部２１Ａ，２２Ａ，２３Ａ、外方カバー部２１Ｂ，２２Ｂ，２３Ｂ及び内方カバー部２１Ｃ，２２Ｃ，２３Ｃは、一体に成形してある一方、それぞれの中空部分が隔壁部によって互いに隔離している。框基部２１Ａ，２２Ａ，２３Ａの中空部（以下、「補強中空部２１ｂ，２２ｂ，２３ｂ」という）には、長手方向に沿って補強部材３０が配設してあり、内方カバー部２１Ｃ，２２Ｃ，２３Ｃの中空部２１ｃ，２２ｃ，２３ｃには、長手方向に沿って防火部材４０が配設してある。補強部材３０及び防火部材４０は、いずれも樹脂よりも融点の高い金属、例えばステンレスや鋼材、あるいはアルミニウム合金によって成形したものである。
【００２９】
補強部材３０は、図４〜図６に示すように、平板状を成す補強基部３１を有したもので、補強基部３１が見付け方向に沿う状態で個々の補強中空部２１ｂ，２２ｂ，２３ｂに配設してある。補強基部３１の両端面には、框部材２１，２２，２３の端面に沿って４５°の角度となるように傾斜した傾斜延在部３１ａが設けてある。図からも明らかなように、補強部材３０の全長は、框部材２１，２２，２３の全長よりも短く構成してある。
【００３０】
それぞれの補強部材３０には、補強基部３１の外周側となる縁部に外周壁部３２が設けてあるとともに、補強基部３１の内周側となる縁部に内周壁部３３が設けてある。外周壁部３２及び内周壁部３３は、補強基部３１から室内側に向けて屈曲するように延在した平板状部分である。隣接する補強部材３０の間は、内周壁部３３を介して連結部材５０により互いに連結してある。連結部材５０は、補強部材３０と同様、ステンレスや鋼材等の金属によって成形したものである。本実施の形態では、Ｌ字状を成す連結基部５０ａを有した連結部材５０を例示している。連結基部５０ａには、それぞれ係合片５０ｂが面外方向に突出するように設けてあるとともに、ネジ挿通孔５０ｃが設けてある。この連結部材５０は、係合片５０ｂを内周壁部３３に形成した溝孔３３ａに挿通させ、さらにネジ挿通孔５０ｃを介して内周壁部３３にネジ部材５１を螺合させることにより、隣接する補強部材３０の間を連結している。また、補強部材３０の内周壁部３３には、面材２４に設けたガラス外れ止め２４ｄがネジ止めしてある。
【００３１】
補強基部３１の両端面には、直交延在部３１ｂが設けてあるとともに、補強基部３１の見付け面において直交延在部３１ｂの相互間となる部位に加熱膨張材６０が貼り付けてある。直交延在部３１ｂは、補強基部３１の長手に直交する方向に沿って延在するもので、補強基部３１の外周側となる部位に形成してある。直交延在部３１ｂの見付け方向に沿った寸法は、加熱膨張材６０の幅と同一となるように設定してある。加熱膨張材６０は、膨張黒鉛等、高温状態となった場合に膨張する不燃材である。この加熱膨張材６０は、一定の幅を有した長尺状を成しており、補強基部３１の全長に渡る部位に貼り付けてある。図１に示すように、加熱膨張材６０は、上框部材２１、下框部材２２及び左右の縦框部材２３のそれぞれの補強部材３０において補強基部３１の室内側に向いた見付け面に設けてある。
【００３２】
防火部材４０は、図１及び図２に示すように、防火基部４１、枠対向部４２及び面材カバー部４３を有したもので、枠対向部４２を介して内方カバー部２１Ｃ，２２Ｃ，２３Ｃの外周見込み壁部２１Ｃｃ，２２Ｃｃ，２３Ｃｃにネジ止めしてある。防火基部４１は、補強中空部２１ｂ，２２ｂ，２３ｂと中空部２１ｃ，２２ｃ，２３ｃとの間の隔壁部２１ｄ，２２ｄ，２３ｄに沿った平板状を成す部分である。枠対向部４２は、防火基部４１の外周側縁部から室内側に向けて屈曲するように延在した部分である。この枠対向部４２は、見込み方向の中央となる部位が厚肉となるように構成してあり、この厚肉部分を介して内方カバー部２２Ｃ，２３Ｃの外周見込み壁部２２Ｃｃ，２３Ｃｃにネジ止めしてある。枠対向部４２において厚肉部分の両側に構成される外周見込み壁部２３Ａｃとの隙間には、それぞれ加熱膨張材６０が設けてある。
【００３３】
防火部材４０の面材カバー部４３は、防火基部４１の内周側縁部から面材２４の室内側に向いた内側表面に対向するように延在し、見込み方向において面材２４の内側表面から面材２４の端面までの間を隙間をもって覆うように配置される部分である。図からも明らかなように、面材カバー部４３は、個々の延在端部から面材２４の端面に向かうに従って漸次面材２４の内側表面との間隔が減少するように傾斜したものである。すなわち、面材カバー部４３の延在端部と面材２４の内側表面との間には、面材２４の端面に至る隙間が大きく開口している。
【００３４】
上記のように構成した建具では、框部材２１，２２，２３を樹脂によって成形しているため、アルミニウムやアルミニウム合金等の金属によって成形されたものに比べて断熱性が向上され、例えば室内外の気温差が大きい場合にも結露が防止される等の利点がある。しかも、框部材２１，２２，２３の補強中空部２１ｂ，２２ｂ，２３ｂには、樹脂よりも融点の高い金属製の補強部材３０を配設し、補強部材３０にガラス外れ止め２４ｄをネジ止めしているため、火災が発生した場合にも面材２４の脱落を防止することができる。さらに、補強部材３０に加熱膨張材６０を設けるようにしているため、火災発生時には框部材２１，２２，２３の補強中空部２１ｂ，２２ｂ，２３ｂが膨張した加熱膨張材６０によって塞がれることになり、室内外が貫通される事態を防止することができるようになる。
【００３５】
ここで、上述した建具によれば、補強部材３０の補強基部３１に４５°の傾斜角度をもった傾斜延在部３１ａを設けているため、互いの間にできるだけ隙間が無い状態で補強部材３０の相互間を接合させることができ、防火性能上有利となる。しかも、補強基部３１において加熱膨張材６０を貼り付ける部分については、補強基部３１の長手に直交する方向に沿って延在するように直交延在部３１ｂを設けるようにしている。従って、長尺状の加熱膨張材６０を適用する場合にも、常に長手に直交する方向に沿って切断すれば良く、不要部分が生じないため歩留まりが向上する。さらに、直交延在部３１ｂの幅が加熱膨張材６０の幅に一致しているため、加熱膨張材６０を貼り付ける際に位置決め作業がきわめて容易となり、また、貼り付け箇所の間違いを防止することが可能となる。
【００３６】
一方、障子２０の面材２４に対しては、框部材２１，２２，２３の中空部２１ｃ，２２ｃ，２３ｃに防火部材４０を配設し、見込み方向において面材２４の内側表面から面材２４の端面までの間を隙間をもって覆うようにしているため、框部材２１，２２，２３が溶融もしくは焼失したとしても建具に貫通口が形成される恐れがなく、防火性を向上させることができる。しかも、面材２４の内側表面から面材２４の端面までの間を覆う面材カバー部４３を、個々の延在端部から面材２４の端面に向かうに従って漸次面材２４の内側表面との間隔が減少するように傾斜させている。従って、面材２４に設けられたガラスパネル２４ａ，２４ｂの中央部分が高温状態となった場合、その熱が周縁部分にも容易に到達することができ、大きな温度差が生じるのを防ぎ、ガラスパネル２４ａ，２４ｂに熱割れが発生する事態を防止することができるようになる。
【００３７】
尚、上述した実施の形態では、たてすべり出し窓を例示しているが、本発明はこれに限らず、はめ殺し窓等、その他の建具であっても良い。また、留め継ぎ部分の傾斜角度が４５°のものを例示しているが、その他の傾斜角度で留め継ぎしたものであっても良い。
【００３８】
また、上述した実施の形態では、面材２４を支持するための框部材２１，２２，２３にのみ補強部材３０を設けるようにした建具を例示しているが、本発明はこれに限定されず、障子２０を支持するための枠部材１１，１２，１３にのみ補強部材を設けるようにしても良いし、框部材２１，２２，２３及び枠部材１１，１２，１３の双方にそれぞれ補強部材を設けるようにしても構わない。
【００３９】
さらに、上述した実施の形態では、補強部材３０の直交延在部３１ｂとして加熱膨張材６０の幅と同一のものを例示しているが、本発明はこれに限定されず、加熱膨張材の幅以上の寸法を有するように直交延在部を設けても良い。
【符号の説明】
【００４０】
１０  開口枠、１１，１２，１３  枠部材、２０  障子、２１，２２，２３  框部材、２１Ａ，２２Ａ，２３Ａ  框基部、２１Ａａ，２２Ａａ，２３Ａａ  内周見込み壁部、２１Ａｂ，２２Ａｂ，２３Ａｂ  装着溝、２１Ａｃ，２２Ａｃ，２３Ａｃ  外周見込み壁部、２１Ｂ，２２Ｂ，２３Ｂ  外方カバー部、２１Ｃ，２２Ｃ，２３Ｃ  内方カバー部、２１Ｃｃ，２２Ｃｃ，２３Ｃｃ  外周見込み壁部、２１ａ，２２ａ，２３ａ  傾斜面、２１ｂ，２２ｂ，２３ｂ  補強中空部、２１ｃ，２２ｃ，２３ｃ  中空部、２１ｄ，２２ｄ，２３ｄ  隔壁部、２４  面材、２４ａ，２４ｂ  ガラスパネル、３０  補強部材、３１  補強基部、３１ａ  傾斜延在部、３１ｂ  直交延在部、３２  外周壁部、３３  内周壁部、４０  防火部材、４１  防火基部、４２  枠対向部、４３  面材カバー部、５０  連結部材、５０ａ  連結基部、５０ｂ  係合片、６０  加熱膨張材
【図１】
0006340054.tif 000002
【図２】
0006340054.tif 000003
【図３】
0006340054.tif 000004
【図４】
0006340054.tif 000005
【図５】
0006340054.tif 000006
【図６】
0006340054.tif 000007